【手続補正書】
【提出日】平成19年3月7日(2007.3.7)
【手続補正１】
【補正対象書類名】特許請求の範囲
【補正対象項目名】全文
【補正方法】変更
【補正の内容】
【特許請求の範囲】
【請求項１】
像担持体に対して現像ギャップ"Ｇ"をもって対向配置されて中心線回りに回転可能なローラ形状の現像剤担持体と、磁性キャリアとトナーとからなる二成分現像剤とを具備し、前記現像剤担持体に担持されて搬送される二成分現像剤中のトナーにより前記像担持体上に形成された静電潜像を現像してトナー画像を形成する現像装置において、前記トナーは、結着樹脂および着色剤を少なくとも含有する静電荷現像用母体トナーと平均粒径が３０〜１６０ｎｍである無機微粒子とを含有し、前記現像剤担持体の表面に延出した複数の溝が形成されている、ことを特徴とする現像装置。
【請求項２】
前記複数の溝は、前記現像剤担持体の中心線と平行に形成されていることを特徴とする請求項１記載の現像装置。
【請求項３】
前記溝の深さは前記現像剤担持体の表面から０．０５〜０．１５ｍｍであり、溝深さの偏差が３０％以下であることを特徴とする請求項１又は２記載の現像装置。
【請求項４】
前記現像ギャップ"Ｇ"が０．１〜０．４ｍｍであることを特徴とする請求項１ないし３のいずれか一記載の現像装置。
【請求項５】
前記磁性キャリアの粒径が２０〜５０μｍであることを特徴とする請求項１ないし４のいずれか一記載の現像装置。
【請求項６】
前記磁性キャリアは、磁性体の芯材に樹脂コート膜が被覆され、前記樹脂コート膜が熱可塑性樹脂とメラニン樹脂とを架橋させた樹脂成分と帯電調整剤とを含有していることを特徴とする請求項５記載の現像装置。
【請求項７】
前記トナーは、少なくとも、窒素原子を含む官能基を有するポリエステルプレポリマー、ポリエステル、着色剤、離型剤とを有機溶媒中に分散させたトナー材料液を、水系媒体中で架橋反応と伸長反応との少なくとも一方の反応により得られることを特徴とする請求項１ないし６のいずれか一記載の現像装置。
【請求項８】
前記トナーは、体積平均粒径が３〜８μｍ、体積平均粒径（Ｄｖ）と個数平均粒径（Ｄｎ）との比（Ｄｖ／Ｄｎ）が１．００〜１．４０であることを特徴とする請求項１ないし７のいずれか一記載の現像装置。
【請求項９】
前記トナーは、形状係数ＳＦ−１が１００〜１８０、形状係数ＳＦ−２が１００〜１８０であることを特徴とする請求項１ないし８のいずれか一記載の現像装置。
【請求項１０】
前記トナーは略球形状であり、その形状が長軸ｒ１、短軸ｒ２、厚さｒ３であるとき（但し、ｒ１≧ｒ２≧ｒ３とする。）、長軸ｒ１と短軸ｒ２との比（ｒ２／ｒ１）が０．５〜１．０、厚さｒ３と短軸ｒ２との比（ｒ３／ｒ２）が０．７〜１．０であることを特徴とする請求項１ないし９のいずれか一記載の現像装置。
【請求項１１】
外周面にトナー画像が形成される像担持体と、前記像担持体を回転可能に保持するカートリッジケースと、前記カートリッジケース内に設けられ、前記像担持体の外周面に対向配置された請求項１ないし１０のいずれか一記載の現像装置と、を具備するプロセスカートリッジ。
【請求項１２】
外周面にトナー画像が形成される像担持体と、前記像担持体の外周面を一様に帯電する帯電装置と、光書込装置と、前記感光体の外周面に書き込まれた静電潜像を現像してトナー画像を形成する請求項１ないし１０のいずれか一記載の現像装置と、現像されたトナー画像を記録媒体に転写する転写装置と、を具備する画像形成装置。
【請求項１３】
装置本体内に設けられ、記録媒体収容部から記録媒体排出部に至る記録媒体搬送路と、前記記録媒体搬送路の途中に着脱可能に配置された請求項１１記載のプロセスカートリッジと、を具備する画像形成装置。
【手続補正２】
【補正対象書類名】明細書
【補正対象項目名】００１２
【補正方法】変更
【補正の内容】
【００１２】
請求項１記載の発明は、像担持体に対して現像ギャップ"Ｇ"をもって対向配置されて中心線回りに回転可能なローラ形状の現像剤担持体と、磁性キャリアとトナーとからなる二成分現像剤とを具備し、前記現像剤担持体に担持されて搬送される二成分現像剤中のトナーにより前記像担持体上に形成された静電潜像を現像してトナー画像を形成する現像装置において、前記トナーは、結着樹脂および着色剤を少なくとも含有する静電荷現像用母体トナーと平均粒径が３０〜１６０ｎｍである無機微粒子とを含有し、前記現像剤担持体の表面に延出した複数の溝が形成されている、ことを特徴とする。
請求項２記載の発明は、請求項１記載の現像装置において、前記複数の溝は、前記現像剤担持体の中心線と平行に形成されていることを特徴とする。
【手続補正３】
【補正対象書類名】明細書
【補正対象項目名】００１３
【補正方法】変更
【補正の内容】
【００１３】
請求３記載の発明は、請求項１又は２記載の現像装置において、前記溝の深さは前記現像剤担持体の表面から０．０５〜０．１５ｍｍであり、溝深さの偏差が３０％以下であることを特徴とする。
【手続補正４】
【補正対象書類名】明細書
【補正対象項目名】００１４
【補正方法】変更
【補正の内容】
【００１４】
請求項４記載の発明は、請求項１ないし３のいずれか一記載の現像装置において、前記現像ギャップ"Ｇ"が０．１〜０．４ｍｍであることを特徴とする。
【手続補正５】
【補正対象書類名】明細書
【補正対象項目名】００１５
【補正方法】変更
【補正の内容】
【００１５】
請求項５記載の発明は、請求項１ないし４のいずれか一記載の発明において、前記磁性キャリアの粒径が２０〜５０μｍであることを特徴とする。
【手続補正６】
【補正対象書類名】明細書
【補正対象項目名】００１６
【補正方法】変更
【補正の内容】
【００１６】
請求項６記載の発明は、請求項５記載の現像装置において、前記磁性キャリアは、磁性体の芯材に樹脂コート膜が被覆され、前記樹脂コート膜が熱可塑性樹脂とメラニン樹脂とを架橋させた樹脂成分と帯電調整剤とを含有していることを特徴とする。
【手続補正７】
【補正対象書類名】明細書
【補正対象項目名】００１７
【補正方法】変更
【補正の内容】
【００１７】
請求項７記載の発明は、請求項１ないし６のいずれか一記載の現像装置において、前記トナーは、少なくとも、窒素原子を含む官能基を有するポリエステルプレポリマー、ポリエステル、着色剤、離型剤とを有機溶媒中に分散させたトナー材料液を、水系媒体中で架特徴とする。
【手続補正８】
【補正対象書類名】明細書
【補正対象項目名】００１８
【補正方法】変更
【補正の内容】
【００１８】
請求項８記載の発明は、請求項１ないし７のいずれか一記載の現像装置において、前記トナーは、体積平均粒径が３〜８μｍ、体積平均粒径（Ｄｖ）と個数平均粒径（Ｄｎ）との比（Ｄｖ／Ｄｎ）が１．００〜１．４０であることを特徴とする。
【手続補正９】
【補正対象書類名】明細書
【補正対象項目名】００１９
【補正方法】変更
【補正の内容】
【００１９】
請求項９記載の発明は、請求項１ないし８のいずれか一記載の現像装置において、前記トナーは、形状係数ＳＦ−１が１００〜１８０、形状係数ＳＦ−２が１００〜１８０であることを特徴とする。
【手続補正１０】
【補正対象書類名】明細書
【補正対象項目名】００２０
【補正方法】変更
【補正の内容】
【００２０】
請求項１０記載の発明は、請求項１ないし９のいずれか一記載の現像装置において、前記トナーは略球形状であり、その形状が長軸ｒ１、短軸ｒ２、厚さｒ３であるとき（但し、ｒ１≧ｒ２≧ｒ３とする。）、長軸ｒ１と短軸ｒ２との比（ｒ２／ｒ１）が０．５〜１．０、厚さｒ３と短軸ｒ２との比（ｒ３／ｒ２）が０．７〜１．０であることを特徴とする。
【手続補正１１】
【補正対象書類名】明細書
【補正対象項目名】００２１
【補正方法】変更
【補正の内容】
【００２１】
請求項１１記載の発明のプロセスカートリッジは、外周面にトナー画像が形成される像担持体と、前記像担持体を回転可能に保持するカートリッジケースと、前記カートリッジケース内に設けられ、前記像担持体の外周面に対向配置された請求項１ないし１０のいずれか一記載の現像装置と、を具備する。
【手続補正１２】
【補正対象書類名】明細書
【補正対象項目名】００２２
【補正方法】変更
【補正の内容】
【００２２】
請求項１２記載の発明の画像形成装置は、外周面にトナー画像が形成される像担持体と、前記像担持体の外周面を一様に帯電する帯電装置と、一様に帯電された前記像担持体の外周面に静電潜像を書き込む光書込装置と、前記感光体の外周面に書き込まれた静電潜像を現像してトナー画像を形成する請求項１ないし１０のいずれか一記載の現像装置と、現像されたトナー画像を記録媒体に転写する転写装置と、を具備する。
【手続補正１３】
【補正対象書類名】明細書
【補正対象項目名】００２３
【補正方法】変更
【補正の内容】
【００２３】
請求項１３記載の発明の画像形成装置は、装置本体内に設けられ、記録媒体収容部から記録媒体排出部に至る記録媒体搬送路と、前記記録媒体搬送路の途中に着脱可能に配置された請求項１１記載のプロセスカートリッジと、を具備する。
【手続補正１４】
【補正対象書類名】明細書
【補正対象項目名】００２４
【補正方法】変更
【補正の内容】
【００２４】
請求項１記載の発明の現像装置によれば、像担持体からのクリーニング性を良好にすることができ、かつ、経時での二成分現像剤の汲み上げ量低下を抑制することができ、トナー画像の濃度ムラの発生を防止できる。
請求項２記載の発明の現像装置によれば、現像剤担持体の表面に形成する現像剤担持体の中心線と平行に延出した複数の溝は、内周面にＶ字状の凸部を形成したダイスの内周面から現像剤担持体を冷間で引き抜いたりすることで、容易に精度良く現像剤担持体の表面上に形成することができるので、経時での二成分現像剤の汲み上げ量低下をより抑制することができる。
【手続補正１５】
【補正対象書類名】明細書
【補正対象項目名】００２５
【補正方法】変更
【補正の内容】
【００２５】
請求項３記載の発明の現像装置によれば、溝による二成分現像剤の搬送性能を確保することができ、かつ、溝を形成することが原因となるトナー画像の濃度ムラの発生を防止できる。
【手続補正１６】
【補正対象書類名】明細書
【補正対象項目名】００２６
【補正方法】変更
【補正の内容】
【００２６】
請求項４記載の発明の現像装置によれば、現像ギャップ"Ｇ"を０．１〜０．４ｍｍと狭小化することにより、トナー画像の粒状度を向上させて高画質の画像を得ることができる。
【手続補正１７】
【補正対象書類名】明細書
【補正対象項目名】００２７
【補正方法】変更
【補正の内容】
【００２７】
請求項５記載の発明の現像装置によれば、磁性キャリアの小粒径によりドット再現性に優れた画像を形成することができる。
【手続補正１８】
【補正対象書類名】明細書
【補正対象項目名】００２８
【補正方法】変更
【補正の内容】
【００２８】
請求項６記載の発明の現像装置によれば、樹脂コート膜の膜削れとスペント化とを抑制でき、磁性キャリアの長寿命化を図ることができる。
【手続補正１９】
【補正対象書類名】明細書
【補正対象項目名】００２９
【補正方法】変更
【補正の内容】
【００２９】
請求項７記載の発明の現像装置によれば、このトナーを用いることにより、高画質の画像を形成することができる。
【手続補正２０】
【補正対象書類名】明細書
【補正対象項目名】００３０
【補正方法】変更
【補正の内容】
【００３０】
請求項８記載の発明の現像装置によれば、このトナーを用いることにより、地肌かぶりの少ない高画質の画像を得ることができる。
【手続補正２１】
【補正対象書類名】明細書
【補正対象項目名】００３１
【補正方法】変更
【補正の内容】
【００３１】
請求項９記載の発明の現像装置によれば、トナー同士の吸着力が弱くなって流動性が高くなり、及び、トナーと像担持体との吸着力が弱くなるので、転写率を高めることができる。
【手続補正２２】
【補正対象書類名】明細書
【補正対象項目名】００３２
【補正方法】変更
【補正の内容】
【００３２】
請求項１０記載の発明の現像装置によれば、ドット再現性及び転写効率の向上、トナー流動性の向上を図ることができ、高画質の画像を得ることができる。
【手続補正２３】
【補正対象書類名】明細書
【補正対象項目名】００３３
【補正方法】変更
【補正の内容】
【００３３】
請求項１１記載の発明のプロセスカートリッジによれば、請求項１ないし１０のいずれか一記載の現像装置を具備するので、請求項１ないし１０のいずれか一記載の発明と同様の効果を奏することができる。
【手続補正２４】
【補正対象書類名】明細書
【補正対象項目名】００３４
【補正方法】変更
【補正の内容】
【００３４】
請求項１２記載の発明の画像形成装置によれば、請求項１ないし１０のいずれか一記載の現像装置を具備するので、請求項１ないし１０のいずれか一記載の発明と同様の効果を奏することができる。
【手続補正２５】
【補正対象書類名】明細書
【補正対象項目名】００３５
【補正方法】変更
【補正の内容】
【００３５】
請求項１３記載の発明の画像形成装置によれば、請求項１１記載のプロセスカートリッジを具備するので、請求項１１記載の発明と同様の効果を奏することができる。